(57)【要約】【課題】蓋の開閉が容易であり、他の釣用バッグ等に容易に着脱し得る釣用容器の提供。【解決手段】この釣用容器１０は、容器本体１１と蓋１２と取付具１３とを有する。取付具１３は、他の部材を挟み込むことによって当該釣用容器１０を当該他の部材に着脱自在に取り付ける。この取付具１３は、単一の金属線材が屈曲されることにより構成される。取付具１３は、支持部３６と挟持部３７とを備える。支持部３６は、一対の背面貫通部３８、一対の上方延設部３９、一対の蓋案内部４０及び一対の規制部４１を有する。規制部４１の先端は、容器本体１１の近傍まで延びている。挟持部３７は、一対の第１腕部４２、一対の弾性変形部４３、一対の第２腕部４４及び当該第２腕部４４同士を連結する連結部４５を備える。【選択図】図２
2010029095.tif 000002
【特許請求の範囲】
【請求項１】
上面に開口を有する容器本体と、
容器本体の上面に配置され、容器本体の開口を開閉する蓋と、
容器本体の背面側に設けられ、他の部材を挟み込むことによって容器本体及び蓋を当該他の部材に着脱自在に取り付ける金属線材からなる取付具とを備え、
当該取付具は、
上記容器本体の背面を貫通して当該容器本体の内部に進入する一対の背面貫通部、当該各背面貫通部の一端に連続して上記開口側へ延びる一対の上方延設部、当該各上方延設部に連続して上記開口から上方へ延びて上記蓋を貫通し、さらに上記背面側へ湾曲した一対の蓋案内部及び当該各蓋案内部に連続して下方へ湾曲し、上記開口の周縁に近接する位置まで延びる一対の規制部を有する支持部と、
上記各背面貫通部の他端に連続して上方へ延びる一対の第１腕部、当該各第１腕部に連続して上記背面から離反する方向に湾曲した一対の弾性変形部、当該各弾性変形部に連続して下方へ延び、上記第１腕部と協働して上記他の部材を弾性的に挟み込む一対の第２腕部及び当該各第２腕部の端部同士を連結する連結部を有する挟持部とを備えている釣用容器。
【請求項２】
上記挟持部の上端は、上記蓋案内部よりも上方に位置している請求項１に記載の釣用容器。
【請求項３】
上記第１腕部は真直に形成され、
上記第２腕部は、上記第１腕部に対して近接し離反する波形に形成されている請求項１又は２に記載の釣用容器。
【請求項４】
上記取付具は、上記金属線材により一体的に形成されている請求項１から３のいずれかに記載の釣用容器。
【発明の詳細な説明】
【技術分野】
【０００１】
本発明は、釣りの際に使用される容器、特に餌を収容する容器の構造に関する。
【背景技術】
【０００２】
一般に釣りにおいては、餌は欠かせないものである。特に、たとえばウキ釣りの場合では、釣針に取り付けられた餌（この餌は、特に「サシ餌」と称される。）は、ターゲットのバイトの有無にかかわらず頻繁に交換されるべきものである。そのため、釣人は、実釣において常に新鮮なサシ餌を携帯する必要がある。従来から、一定量のサシ餌を収容することができる容器が提供されている（例えば、特許文献１〜特許文献３参照）。
【０００３】
このような容器は、通常、上面に開口を有する容器本体と、容器本体に設けられた蓋とを有する。この蓋は、容器本体の開口を開閉するものであって、閉じられることによって容器本体に収容された餌の乾燥等を防ぐ。実釣において釣人は、餌を取り出すときは蓋を開け、餌を取り出した後は蓋を閉じる。したがって、この蓋は、開閉が容易なものでなければならない。特に釣人が餌を取り出しやすいように、蓋が１８０°（ｄｅｇｒｅｅ）以上に大きく開くことができる容器も提供されている（例えば、特許文献１参照）。
【０００４】
ところが、このように蓋が大きく開放されると、蓋を閉じる作業が容易でなくなることもあり、却って使い難くなる場合がある。そのため、従来では、図５が示す構造の容器が提供されている。同図が示すように、この容器１は、容器本体２と蓋３と取付具４とを備えている。取付具４は、容器本体２の背面５に装着されており、当該容器１をたとえば他の釣用バッグ等に取り付けるためのクリップとして機能する。この取付具４は、一般に金属線材が折り曲げられることにより構成されており、蓋３を支持する一対の支持部６と一対の挟持部７とを備えている。
【０００５】
図６は、この容器１の側面図である。同図は、容器本体２と取付具４との位置関係を示している。同図の点線が示すように蓋３が開放されると、蓋３の背面が挟持部７の先端部８に当接する。蓋３は、９０°〜１８０°（具体的には１２０°〜１６０°程度）に開かれる。したがって、開放された蓋３は、確実に当該開放状態が維持されると共に、釣人が蓋３を閉じようとした場合には、蓋３は簡単に閉じられる。
【０００６】
【特許文献１】特開２０００−３３３５７８号公報
【特許文献２】特開２００３−９７４１号公報
【特許文献３】特開２００４−２７５００５号公報
【発明の開示】
【発明が解決しようとする課題】
【０００７】
しかしながら、従来の容器１では、単に蓋３が９０°を超え１８０°未満の角度に開放されるように取付具４の形状が決定されていた。そのため、同図の二点鎖線が示すように蓋３が開放されると、蓋３の下縁部９が容器本体２と上記支持部６との間に挟まってしまう場合があった。そのため、蓋３が開放状態に固定されてしまい、容器１に収容された餌が異常に乾燥してしまうおそれがあった。また、図５が示すように、一対の支持部６が独立して配置されているので、支持部５の剛性が低く、他の釣用バッグ等に取り付け難いという問題もあった
【０００８】
そこで、本発明の目的は、釣人が蓋を容易に開放できて且つ当該蓋を一定の保持力で開放状態に保持でき、しかも釣人が蓋を閉じようとした場合には簡単に蓋を閉じることができると共に、他の釣用バッグ等に容易に着脱することができる釣用容器を提供することである。
【課題を解決するための手段】
【０００９】
本願発明者は、取付具の形状を工夫することによって上記目的を達成することができると考えた。
【００１０】
(1) 本発明に係る釣用容器は、上面に開口を有する容器本体と、容器本体の上面に配置され、容器本体の開口を開閉する蓋と、容器本体の背面側に設けられ、他の部材を挟み込むことによって容器本体及び蓋を当該他の部材に着脱自在に取り付ける金属線材からなる取付具とを備える。この取付具は、支持部及び挟持部とを有する。支持部は、上記容器本体の背面を貫通して当該容器本体の内部に進入する一対の背面貫通部、当該各背面貫通部の一端に連続して上記開口側へ延びる一対の上方延設部、当該各上方延設部に連続して上記開口から上方へ延びて上記蓋を貫通し、さらに上記背面側へ湾曲した一対の蓋案内部及び当該各蓋案内部に連続して下方へ湾曲し、上記開口の周縁に近接する位置まで延びる一対の規制部を有する。挟持部は、上記各背面貫通部の他端に連続して上方へ延びる一対の第１腕部、当該各第１腕部に連続して上記背面から離反する方向に湾曲した一対の弾性変形部、当該各弾性変形部に連続して下方へ延び、上記第１腕部と協働して上記他の部材を弾性的に挟み込む一対の第２腕部及び当該各第２腕部の端部同士を連結する連結部を有する。
【００１１】
たとえばオキアミ等の釣餌が容器本体に収容される。容器本体に蓋が設けられているので、蓋が閉じられることにより釣餌の乾燥が防止される。釣人は、蓋を開けることによって容器本体から釣餌を容易に取り出すことができる。容器本体に取付具が設けられているから、容器本体及び蓋は、他の部材、たとえば撒き餌を収容するバケツの側面に着脱自在に取り付けられる。
【００１２】
上記取付具は、金属線材（典型的にはステンレス鋼からなる線材）が屈曲ないし湾曲されることにより形成される。上記支持部は、上記蓋を支持しつつ当該蓋の開閉動作を許容する。詳述すれば、この支持部は、一対の背面貫通部を有する。各背面貫通部は、容器本体の背面の２箇所を貫通する。このため、支持部は、上記蓋を支持すると共に、当該容器本体も支持する。各背面貫通部の位置は、容器本体が安定的に支持されるために適切な２箇所に設定される。この各背面貫通部に連続して各上方延設部が形成され、当該各上方延設部に連続する一対の蓋案内部が上記蓋を貫通している。これにより、上記蓋は、２箇所で蓋案内部に支持されつつ各蓋案内部に沿って開閉動作を行うことができる。
【００１３】
すなわち、上記蓋は、各蓋案内部に支持された状態で倒伏することができる。これにより、上記蓋は、上記容器本体の上面に配置され、上記開口を閉じる。また、上記蓋は、各蓋案内部に支持された状態で回動することができる。これにより、上記蓋は、上記容器本体の上面に起立し、上記開口を開く。この蓋は、各蓋案内部に支持された状態で起伏自在であるから、上記開口を自在に開閉することができる。上記蓋案内部に連続して一対の規制部が形成されており、この規制部は、上記開口の周縁に近接する位置まで延びている。つまり、各規制部と上記容器本体の上縁との間にほとんど隙間がない。したがって、上記蓋が起立したとき、蓋の縁部が容器本体と取付具との間に挟み込まれることが回避される。
【００１４】
挟持部は、一対の第１腕部及び一対の第２腕部を有し、両者は協働して上記他の部材を挟み込むことができる。このとき、各第１腕部及び各第２腕部は金属線材からなるので、上記他の部材を弾性的に挟持することが可能である。ただし、第１腕部と第２腕部との間に弾性変形部が形成されているから、各第１腕部及び各第２腕部はより弾力的に上記他の部材を挟持することができる。しかも、上記連結部によって第１腕部と第２腕部とが連結されているので、第１腕部に対して各第２腕部が相対的に弾性変形が容易であっても、挟持部全体の剛性は向上する。
【００１５】
(2) 上記挟持部の上端は、上記蓋案内部よりも上方に位置しているのが好ましい。
【００１６】
蓋が開放されたときに、当該蓋は上記挟持部の上端に当接して当該開いた状態が保持される。この構成では、上記挟持部の上端が上記蓋案内部よりも上方に位置するから、上記蓋は、たとえば１２０°〜１６０°の角度で開いた状態で保持され得る。すなわち、蓋が安定的に開状態に保持され、しかも、釣人が意図的に蓋を閉じようとしたときは簡単且つ迅速に閉じることができる。
【００１７】
(3) 上記第１腕部は真直に形成され、上記第２腕部は、上記第１腕部に対して近接し離反する波形に形成されているのが好ましい。
【００１８】
この構成では、第１腕部が真直であり、しかも、第２腕部が湾曲されていることから第２腕部と上記他の部材とが点接触する。したがって、取付具が上記他の部材に挿抜される際の摩擦が低減され、取付具の挿抜作業が円滑に行われる。
【００１９】
(4) 上記取付具は、上記金属線材により一体的に形成されているのが好ましい。
【００２０】
この構成では、取付具が簡単且つ安価に構成されるという利点がある。
【発明の効果】
【００２１】
この発明によれば、蓋が開放されたときに当該蓋の縁部が容器本体と取付具との間に挟み込まれることがないので、釣人は蓋を容易に開閉することができる。しかも、取付具の第１腕部及び第２腕部が容易に弾性変形するので、釣用容器は、他の釣用バッグ等に簡単に取り付くことができる。しかも、取付具の剛性が高いので、釣用容器の着脱作業が容易である。
【発明を実施するための最良の形態】
【００２２】
以下、適宜図面が参照されつつ、好ましい実施形態に基づいて本発明が詳細に説明される。
【００２３】
図１は、本発明の一実施形態に係る釣用容器の前方斜視図である。図２は、この釣用容器の後方斜視図である。
【００２４】
この釣用容器１０は、釣りの際に使用され、例えばオキアミ等のサシ餌を収容するものである。この釣用容器１０は、容器本体１１と蓋１２と取付具１３とを備えている。取付具は、後に詳述されるように、撒き餌バケツの壁面等（他の部材）を挟持することができ、これにより、釣用容器１０が撒き餌バケツその他の部材に着脱自在に装着されるようになっている。
【００２５】
図３は、上記蓋１２が開かれた状態の釣用容器１０の斜視図である。
【００２６】
容器本体１１の外形形状は立方体に形成されている。容器本体１１の上面１４に開口１５が設けられている。この開口１５に連続して容器本体１１の内部に収容室１６が形成されている。この収容室１６にサシ餌が収容され、必要に応じて釣人がサシ餌を収容室１６から取り出す。
【００２７】
容器本体１１は、例えばＥＶＡ（エチレン酢酸ビニル共重合体）その他の合成樹脂シートから構成され得る。本実施形態では、容器本体１１は、底部シート１７と、側壁シート１８とを有する。側壁シート１８は、環状に湾曲されて筒状に形成されている。底部シート１７は、矩形に形成されている。側壁シート１８の下端部１９が外側に拡がるように曲げられおり、当該下端部１９が底部シート１７の上に重ねられて両者が熱融着されている。
【００２８】
他方、側壁シート１８の上端部２０は外側に折り返され、当該側壁シート１８に重ね合わされて熱融着されている。本実施形態では、上記開口１５の周縁に芯部材２１が配置されている。芯部材２１は、環状に形成され、上記開口１５を区画する。芯部材２１は、例えば金属（典型的にはステンレス鋼）の棒材により構成される。上記側壁シート１８は、この芯部材２１の周りに巻き掛けられて外側に折り返されている。
【００２９】
容器本体１１の背面２２に貫通孔２３、２４が設けられている。この貫通孔２３、２４は、側壁シート１８を貫通しており、上記収容室１６に連通している。各貫通孔２３、２４は、上記背面２２の上端部に設けられ、所定のピッチで並設されている。後に詳述されるが、上記取付具１３は、上記貫通孔２３、２４に挿通されるようになっている。
【００３０】
蓋１２は、容器本体１１の上面１４に配置され、上記開口１５を開閉することができるようになっている（図１、図３参照）。蓋１２はポリプロピレン等の合成樹脂により成形されている。蓋１２は、トレー状に形成されており、蓋１２の上面に凹部２５が設けられている。容器本体１１から取り出されたサシ餌は、この凹部２５に一時的に裁置される。また、蓋１２の前縁２７及び側縁２８、２９にマチ部３０が設けられている。このマチ部３０は、蓋１２と一体的に形成されている。マチ部３０は、蓋１２の上面に直交して下方に延設されている（図１、図２参照）。なお、マチ部３０は、蓋１２の背縁３３に設けられていない。また、図２及び図３が示すように、側縁２８、２９に設けられたマチ部３０は、斜めに切断されている。すなわち、マチ部３０の後端部３４の高さ寸法は、容器本体１１の前面から背面に向かう向きに漸次小さくなり、滑らかに側縁２８、２９に連続している。これにより、蓋１２が開閉される際にマチ部３０が容器本体１１に接触することが防止され、円滑な蓋１２の開閉が実現されている。
【００３１】
図１及び図３が示すように、蓋１２に設けられた凹部２５は、蓋１２の上面が落とし込まれることによって形成されている。このため、蓋１２の裏面側の縁部に溝２６（図３参照）が形成されている。蓋１２が閉じられると（図１、図２が示す状態）、容器本体１１の上端部（すなわち上記側壁シート１８の上端部２０）は、上記溝２６に挿入される。したがって、蓋１２が閉じられた状態では、当該蓋１２は安定して容器本体１１の上端部に配置される。
【００３２】
蓋１２の背側縁部に貫通孔３１、３２が設けられている。この貫通孔３１、３２は、所定のピッチで並設されている。この所定のピッチは、上記容器本体１１に設けられた貫通孔２３、２４のピッチと同様である。後に詳述されるが、この貫通後３１、３２に上記取付具１３が挿通されるようになっている。すなわち、取付具１３は、容器本体１１に設けられた貫通後２３、２４を貫通し、且つ蓋１２に設けられた貫通後３１、３２を貫通する。これにより、取付具１３は、容器本体１１に取り付けられると共に蓋１２を支持する。そして、蓋１２は、取付具１３に支持された状態で容器本体１１の開口１５を開放する開放姿勢と閉塞する閉塞姿勢との間で姿勢変化が可能となっている。なお、上記マチ部３０に指掛け部３５が形成されている。
【００３３】
図４は、釣用容器１０の側面図である。
【００３４】
上記取付具１３は、容器本体１１の背面側に配置されている。取付具１３は、金属製の線材からなる。本実施形態では、ステンレス鋼からなる線材により取付具１３が構成されている。取付具１３は、支持部３６及び挟持部３７を備えている。前述のように、支持部３６は、当該取付具１３を容器本体１１に取り付けられると共に上記蓋１２を支持する。支持部３６に支持された蓋１２は、上記開放姿勢と閉塞姿勢との間で自在に姿勢変化することができるようになっている。また、挟持部３７は、撒き餌バケツの壁面等を挟持して、容器本体１１を蓋１２と共に撒き餌バケツ等に取り付ける。支持部３６及び挟持部３７は、上記線材が折り曲げられることによって一体体に形成されている。
【００３５】
図２及び図４が示すように、支持部３６は、一対の背面貫通部３８と、これに連続する一対の上方延設部３９と、これに連続する一対の蓋案内部４０と、これに連続する一対の規制部４１とを備えている。
【００３６】
各背面貫通部３８は、容器本体１１の背面側から当該背面２２を貫通して容器本体１１の内部へ侵入している。すなわち、各背面貫通部３８は、上記背面２２に設けられた貫通後２３、２４に挿通され、上記収容室１６に進入している。前述のように貫通後２３、２４は所定のピッチで並設されるが、この所定のピッチは、各背面貫通部３８の位置が容器本体１１を安定的に支持するために適切な距離となるように設定される。各上方延設部３９は、各背面貫通部３８の一端から上方へ、すなわち上記開口１５側へ湾曲し当該開口１５に向かって延びている。各蓋案内部４０は、上記開口１５よりもさらに上方へ延び、蓋１２を貫通している。このとき、各蓋案内部４０は、蓋１２に設けられた貫通後３１、３２に挿通されている。さらに、各蓋案内部４０は、容器本体１１の背面２２側へ湾曲している。したがって、蓋１２は、蓋案内部４０に支持されつつ当該蓋案内部４０に沿ってスライドすることができるようになっている。各規制部４１は、各蓋案内部４０から下方へ湾曲している。したがって、各規制部４１は下方へ延びている。各規制部４１は、その先端が容器本体１１の上記開口１５の周縁に近接する位置まで延びている。各規制部４１の先端と容器本体１１との間の隙間は、０．５ｍｍ〜１．５ｍｍ程度に設定され得る。
【００３７】
また、挟持部３７は、一対の第１腕部４２と、これに連続する一対の弾性変形部４３と、これに連続する一対の第２腕部４４と、各第２腕部４４同士を連結する連結部４５とを備えている。
【００３８】
各第１腕部４２は、上記各背面貫通部３８の他端から上方へ屈曲して延びている。本実施形態では、各第１腕部４２は、上方に真直に延びている。各第２腕部４４は、第１腕部４２と対向配置されており、上下方向に延びている。本実施形態では、各第２腕部４４は、波形に湾曲形成されている。これにより、第２腕部４４は、第１腕部４２に対して近接し、離反することができる。もっとも、第１腕部４２が波形に形成され、第２腕部４４が真直に形成されていてもよいことは勿論である。
【００３９】
各弾性変形部４３は、第１腕部４２と第２腕部４４との間に介在され、両者を連続している。具体的には、各弾性変形部４３は、各第１腕部４２に連続して容器本体１１の背面２２から離反する方向に湾曲し、さらに下方へ湾曲して各第２腕部４４に連続している。本実施形態では、弾性変形部４３は略半円形に形成されており、当該弾性変形部４３が弾性変形することによって、第２腕部４４が第１腕部４２に対して容易に近接し、離反することができるようになっている。また、本実施形態では、弾性変形部４３は、上記蓋案内部４０よりも上方まで延びている。すなわち、挟持部３７の上端は、上記蓋案内部４０よりも距離ｈだけ上方に位置している。挟持部３７の上端が上記蓋案内部４０よりも上方に位置することによる作用効果については後述される。
【００４０】
第２腕部４４は、第１腕部と協働して上記撒き餌バケツ等の壁面を弾性的に挟み込む。なお、弾性変形部４３の形状は半円形に限定されるものではない。要するに、第２腕部４４が第１腕部４２に対して弾性的に接離すやすいものであればよい。上記連結部４５は、上記第２腕部４４同士に架け渡されたクロスメンバーを構成する。この連結部４５が設けられることにより、支持部３６及び挟持部３７の剛性が向上する。
【００４１】
釣人は、この釣用容器１０を次の要領で使用する。
【００４２】
たとえばオキアミを撒き餌及びサシ餌として使用するウキ釣り等では、釣人は、釣用容器１０にサシ餌用オキアミを入れ、撒き餌用オキアミを撒き餌バケツに収容する。釣用容器１０は取付具１３を備えるから、釣人は、この取付具１３を介して当該釣用容器１０を撒き餌バケツの壁面に装着する。容器本体１１に蓋１２が設けられているので、蓋１２が閉じられることによりサシ餌の乾燥が防止される。釣人は、適宜蓋１２を開けることによって容器本体１１からサシ餌を取り出すことができる。
【００４３】
前述のように、取付具１３の支持部３６は、上記蓋１２を支持すると共に、容器本体１１も支持する。そして、蓋１２は、各蓋案内部４０に支持されつつ各蓋案内部４０に沿って開閉動作を行う（図２、図３参照）。すなわち、上記蓋１２は、各蓋案内部４０に支持された状態で倒伏することができ（図１、図２参照）、これにより、上記蓋１２は、容器本体１１の開口１５を閉じる。また、蓋１２は、各蓋案内部４０に支持された状態で起立することができ（図３参照）、容器本体１１の開口１５を開く。図４が示すように、この蓋案内部４０に連続して一対の規制部４１が形成されており、この規制部４１の先端と容器本体１１との間の隙間は僅かであるから、上記蓋１２が起立して開口１５が開かれたとき（図３参照）、蓋１２の背縁３３側の部分が容器本体１１と取付具１３との間４６に挟み込まれることが回避される。したがって、蓋１２は円滑に姿勢変化することができ、釣人は蓋１２を迅速に開閉することができる。
【００４４】
一方、取付具１３の挟持部３７は、一対の第１腕部４２及び一対の第２腕部４４を有するから、両者が協働して上記撒き餌バケツの壁面を挟み込むことができる。各第１腕部４２及び各第２腕部４４は金属線材からなるので、弾性変形が可能である。したがって、各第１腕部４２及び各第２腕部４４は、上記撒き餌バケツの壁面を弾性的に挟持することができる。本実施形態では、第１腕部４２と第２腕部４４との間に弾性変形部４３が形成されているから、各第１腕部４２及び各第２腕部４４はより一層弾力的に上記撒き餌バケツの壁面を挟み込むことができる。したがって、釣用容器１０は、撒き餌バケツに簡単に取り付くことができ、簡単に取り外される。しかも、第１腕部４２と第２腕部４４とが連結部４５によって連結されているので、第１腕部４２に対する第２腕部４４の弾性変形が確保されたうでで、挟持部３７全体の剛性が向上する。したがて、釣用容器１０を撒き餌バケツに着脱する作業がなお一層容易になる。
【００４５】
本実施形態では、図４が示すように、挟持部３７の上端が支持部３６の蓋案内部４０よりも上方に位置している。このため、蓋１２が開放されたときに（図３参照）、当該蓋１２は挟持部３７の上端（具体的には弾性変形部４３の角部）に当接し、当該開いた状態が保持される。本実施形態では、蓋１２の角度θは１４０°となるように挟持部３７の上端位置が決定されている。上記角度θは、１４０°に限定されるものではなく、１２０°〜１６０°となるように挟持部３７の上端位置が決定されるのが好ましい。この範囲の角度で蓋１２が開けられると、蓋１２が安定的に開状態に保持され、しかも、釣人が意図的に蓋１２を閉じようとしたときは簡単且つ迅速に閉じることができる。
【００４６】
また、本実施形態では、図４が示すように、第１腕部４２は真直に形成され、第２腕部４４は前述のように波形に形成されている。この場合、第２腕部４４が湾曲されていることから、撒き餌バケツの壁面は、第２腕部４４と点接触する。したがって、取付具１３が撒き餌バケツの壁面に挿抜される際の摩擦が低減され、取付具１３の挿抜作業がなお一層円滑に行われる。
【００４７】
なお、本実施形態では、取付具１３は金属線材により一体的に形成されているから、取付具１３が簡単且つ安価に構成されるという利点がある。
【産業上の利用可能性】
【００４８】
本発明は、釣りの際に使用され、特に餌を収容する容器に適用され得る。
【図面の簡単な説明】
【００４９】
【図１】図１は、本発明の一実施形態に係る釣用容器の前方斜視図である。
【図２】図２は、本発明の一実施形態に係る釣用容器の後方斜視図である。
【図３】図３は、本発明の一実施形態に係る釣用容器の前方斜視図である。
【図４】図４は、本発明の一実施形態に係る釣用容器の側面図である。
【図５】図５は、従来の釣用容器の後方斜視図である。
【図６】図６は、従来の釣用容器の側面図である。
【符号の説明】
【００５０】
１０・・・釣用容器
１１・・・容器本体
１２・・・蓋
１３・・・取付具
１４・・・上面
１５・・・開口
２２・・・背面
２３・・・貫通孔
２４・・・貫通孔
３１・・・貫通孔
３２・・・貫通孔
３６・・・支持部
３７・・・挟持部
３８・・・背面貫通部
３９・・・上方延設部
４０・・・蓋案内部
４１・・・規制部
４２・・・第１腕部
４３・・・弾性変形部
４４・・・第２腕部
４５・・・連結部
【図１】
2010029095.tif 000003
【図２】
2010029095.tif 000004
【図３】
2010029095.tif 000005
【図４】
2010029095.tif 000006
【図５】
2010029095.tif 000007
【図６】
2010029095.tif 000008